(57)【要約】【課題】  特に体圧が作用したり、体勢が変化したりした場合でも、体液が漏れ出ることがない体液処理用品を提供する。【解決手段】  シャーシ２のアウタ９外側には、体液処理用品１５が取り付けられている。ライナ８およびアウタ９のクロッチ域７に形成された孔１６を介して体液処理用品１５が露出される。体液処理用品１５は、内外面シート１８，１９の外周に亘って互いに接合することによって、袋体を形成している。内面シート１８には開口２５を形成し、開口２５の縦方向Ｙの前後に、体液等を収容可能な前後収容領域がそれぞれ形成される。内外面シート１８，１９の間には、逆流防止シート３２が形成され、接合部２８を介して内面シート１８に接合される。【選択図】図２
2010082255.tif 000002
【特許請求の範囲】
【請求項１】
身体前方から後方に延びる縦方向および前記縦方向に直交する横方向と、身体側に位置する不透液性の内面シートおよびその反対側に位置する不透液性の外面シートとを含み、前記内外面シートによって袋体が形成され、前記内面シートには、前記袋体内部に体液の流入を可能とする開口が形成され、前記内外面シートが互いに離間することによって前記内外面シートの間に体液の収容領域が形成される体液処理用品において、
前記内外面シートの間には、前記開口を覆う逆流防止シートが形成され、
前記逆流防止シートは、接合部を介して前記内面シートに間欠的に接合され、前記逆流防止シートと前記外面シートとの間にも前記収容領域が形成されることを特徴とする前記体液処理用品。
【請求項２】
前記接合部は、複数形成され、少なくとも前記横方向に隣り合う二つの前記接合部の間において、前記開口と前記収容領域とを通液可能に連通する前後方通路が形成される請求項１記載の体液処理用品。
【請求項３】
前記逆流防止シートは、前記縦方向に延びる防止シート両側縁と、前記横方向に延びる防止シート前後端縁とを含み、前記接合部と、前記防止シート両側縁または前記防止シート前後端縁との少なくともいずれかの間において、前記逆流防止シートと前記内面シートとが実質的に互いに接合されることのない外側非接合領域が形成される請求項１または２記載の体液処理用品。
【請求項４】
前記接合部は、少なくとも線条の接合線によって形成される請求項１〜３のいずれかに記載の体液処理用品。
【請求項５】
隣り合う前記接合線は、前記開口から前記収容領域に向かって互いの離間距離が小さくなる請求項４記載の体液処理用品。
【請求項６】
少なくとも前記内外面シートの間に形成された前記収容領域には、前記体液を吸収し保持することが可能な吸液構造体が形成される請求項１〜５のいずれかに記載の体液処理用品。
【請求項７】
前記吸液構造体は、前記内外面シートの間に形成された前記収容領域および前記逆流防止シートと前記外面シートとの間に形成された前記収容領域に形成される請求項６記載の体液処理用品。
【請求項８】
前記開口と前記接合部との間には、前記内面シートと前記逆流防止シートとが実質的に互いに接合されることがない内側非接合領域が形成される請求項１〜７のいずれかに記載の体液処理用品。
【請求項９】
前記内面シートは、前記身体側に位置する第１内面シートと、前記反対側に位置する第２内面シートとを含み、
前記逆流防止シートは、前記接合部を介して前記第２内面シートに接合される請求項１〜８のいずれかに記載の体液処理用品。
【請求項１０】
縦方向および横方向と、身体側およびその反対側と、前記縦方向に連なる前ウエスト域、後ウエスト域および前記前後ウエスト域間に位置するクロッチ域とを有するシャーシを含む着用物品において、
少なくとも前記クロッチ域に位置する請求項１記載の体液処理用品を含み、
前記体液処理用品の開口が、前記クロッチ域に位置することを特徴とする前記着用物品。
【請求項１１】
前記体液処理用品は、前記シャーシの前記身体側とは反対側に形成され、
前記シャーシは、少なくとも前記クロッチ域において前記体液処理用品の前記開口に対して体液の流入が可能に形成される請求項１０記載の着用物品。
【請求項１２】
前記シャーシは、前記クロッチ域に孔が形成され、
前記孔を介して前記体液処理用品の前記開口に対して体液の流入が可能とされ、前記孔と前記開口とが重なる請求項１１記載の着用物品。
【請求項１３】
前記孔は、前記体液処理用品の前記開口よりもその開口面積が小さく設定されている請求項１２記載の着用物品。
【発明の詳細な説明】
【技術分野】
【０００１】
この発明は、体液処理用品およびこれを含む着用物品に関し、さらに詳しくは体液処理用品を有する使い捨てのおむつ、排泄トレーニングパンツ、失禁ブリーフ等に関する。
【背景技術】
【０００２】
従来、袋状の吸収体物品に開口を形成し、開口に向かって尿が排泄されるものとして例えば特開２００５−３２３７９７号公報（特許文献１）が公知である。開口と袋状の吸収体物品の底部との間には尿を分散させるガイドシートを形成し、ガイドシート側縁を吸収体で覆うことによって尿を吸収するようにしている。ガイドシートと開口との間にはスキンコンタクトシートを形成し、排泄された尿が着用者に接触するのを予防している。
【特許文献１】特開２００５−３２３７９７号公報
【発明の開示】
【発明が解決しようとする課題】
【０００３】
吸収体物品内に吸収された尿は、例えば体圧が作用すると吸収体から尿が滲出する。吸収体から尿が滲出した状態で、着用者が寝返りを打ったり四つん這いになったりすると、尿が袋状の吸収体物品の内部を移動して、開口から漏れ出てしまう可能性がある。
【０００４】
この発明では、特に体圧が作用したり、体勢が変化したりした場合でも、体液が漏れ出ることがない体液処理用品およびこれを含む着用物品を提供することを課題とする。
【課題を解決するための手段】
【０００５】
この発明は第１の発明と第２の発明を含む。
第１の発明は、身体前方から後方に延びる縦方向および前記縦方向に直交する横方向と、身体側に位置する不透液性の内面シートおよびその反対側に位置する不透液性の外面シートを含み、前記内外面シートによって袋体が形成され、前記内面シートには、前記袋体内部に体液の流入を可能とする開口が形成され、前記内外面シートが互いに離間することによって前記内外面シートの間に体液の収容領域が形成される体液処理用品の改良に関わる。
【０００６】
この第１の発明は前記体液処理用品において、前記内外面シートの間には、前記開口を覆う逆流防止シートが形成され、前記逆流防止シートは、接合部を介して前記内面シートに間欠的に接合され、前記逆流防止シートと前記外面シートとの間にも前記収容領域が形成されることを特徴とする。
【０００７】
好ましい実施態様のひとつとして、前記接合部は、複数形成され、少なくとも前記横方向に隣り合う二つの前記接合部の間において、前記開口と前記収容領域とを通液可能に連通する前後方通路が形成される。
【０００８】
好ましい他の実施態様のひとつとして、前記逆流防止シートは、前記縦方向に延びる防止シート両側縁と、前記横方向に延びる防止シート前後端縁とを含み、前記接合部と、前記防止シート両側縁または前記防止シート前後端縁との少なくともいずれかの間において、前記逆流防止シートと前記内面シートとが実質的に互いに接合されることのない外側非接合領域が形成される。
【０００９】
好ましい他の実施態様のひとつとして、前記接合部は、少なくとも線条の接合線によって形成される。
【００１０】
好ましい他の実施態様のひとつとして、隣り合う前記接合線は、前記開口から前記収容領域に向かって互いの離間距離が小さくなる。
【００１１】
好ましい他の実施態様のひとつとして、少なくとも前記内外面シートの間に形成された前記収容領域には、前記体液を吸収し保持することが可能な吸液構造体が形成される。
【００１２】
好ましい他の実施態様のひとつとして、前記吸液構造体は、前記内外面シートの間に形成された前記収容領域および前記逆流防止シートと前記外面シートとの間に形成された前記収容領域に形成される。
【００１３】
好ましい他の実施態様のひとつとして、前記開口と前記接合部との間には、前記内面シートと前記逆流防止シートとが実質的に互いに接合されることがない内側非接合領域が形成される。
【００１４】
好ましい他の実施態様のひとつとして、前記内面シートは、前記身体側に位置する第１内面シートと、前記反対側に位置する第２内面シートとを含み、前記逆流防止シートは、前記接合部を介して前記第２内面シートに接合される。
【００１５】
第２の発明は、縦方向および横方向と、身体側およびその反対側と、前記縦方向に連なる前ウエスト域、後ウエスト域および前記前後ウエスト域間に位置するクロッチ域とを有するシャーシを含む着用物品の改良に関わる。
【００１６】
この第２の発明は前記着用物品において、少なくとも前記クロッチ域に位置する請求項１記載の体液処理用品を含み、前記体液処理用品の開口が、前記クロッチ域に位置することを特徴とする。
【００１７】
好ましい実施態様のひとつとして、前記体液処理用品は、前記シャーシの前記身体側とは反対側に形成され、前記シャーシは、少なくとも前記クロッチ域において前記体液処理用品の前記開口に対して体液の流入が可能に形成される。
【００１８】
好ましい他の実施態様のひとつとして、前記シャーシは、前記クロッチ域に孔が形成され、前記孔を介して前記体液処理用品の前記開口に対して体液の流入が可能とされ、前記孔と前記開口とが重なる。
【００１９】
好ましい他の実施態様のひとつとして、前記孔は、前記体液処理用品の前記開口よりもその開口面積が小さく設定されている。
【発明の効果】
【００２０】
第１の発明によれば、体液処理用品の袋体は、内外面シートを含み、この内外面シートの間には、開口を覆う逆流防止シートが形成されることとしたので、収容領域の体液が開口から漏れるのを防止することができる。逆流防止シートは、接合部を介して内面シートに間欠的に接合されることとしたので、体液は開口から収容領域へと流入することができる。
【００２１】
第２の発明によれば、着用物品において、少なくともクロッチ域に体液処理用品を位置させ、体液処理用品の開口が、クロッチ域に位置することとしたので、例えばおむつなどの着用物品を用いた場合には、尿を体液処理用品の袋体で保持することができる。したがって、着用物品からの尿等の漏れを抑制することができる。
【発明を実施するための最良の形態】
【００２２】
着用物品として使い捨ておむつを用い、この発明の一例を説明する。
【００２３】
図１はおむつ１の着用状態を示したものであり、図２は、図１の両側縁の接合を解いたときの、おむつ１の平面図であり、それぞれ説明のためその一部を破断している。図２では、おむつ１が平らになるように各弾性体の伸縮力が作用していない状態を示している。図３は図２のＩＩＩ−ＩＩＩ線断面図、図４は図２のＩＶ−ＩＶ線断面図である。おむつ１はシャーシ２と、ウエスト弾性体３と、レッグ弾性体４とを含む。シャーシ２は、縦方向Ｙに連なる前ウエスト域５、後ウエスト域６、これら前後ウエスト域５，６間に位置するクロッチ域７を含むとともに、横方向Ｘの寸法を二等分する縦中心線Ｐ−Ｐと、縦方向Ｙの寸法を二等分する横中心線Ｑ−Ｑとを有している。
【００２４】
シャーシ２は、身体側内面を形成するライナ８と、その反対側である着衣側外面を形成するアウタ９とを含み、これらライナ８とアウタ９との間にウエスト弾性体３およびレッグ弾性体４を介在させている。ウエスト弾性体３およびレッグ弾性体４は、少なくともライナ８およびアウタ９のいずれか一方に接合している。シャーシ２は、縦方向Ｙに延びて前ウエスト域５に位置する前ウエスト側縁１０と、後ウエスト域６に位置する後ウエスト側縁１１と、クロッチ域７に位置するレッグ側縁１２とを含む。
【００２５】
シャーシ２は、縦方向Ｙに直交する横方向Ｘに延びるシャーシ前後端縁１３，１４を含む。レッグ側縁１２は、クロッチ域７において縦中心線Ｐ−Ｐに向かって湾曲し、レッグ弾性体４は、レッグ側縁１２に沿って、伸長状態で収縮可能に取り付けられる。ウエスト弾性体３は、シャーシ前後端縁１３，１４に沿って、横方向Ｘに伸長状態で収縮可能に取り付けられる。前ウエスト側縁１０と、後ウエスト側縁１１とは、互いに接合され、これら前後ウエスト域５，６を連結して、パンツ型のおむつ１が形成される。
【００２６】
アウタ９の外側には、体液処理用品１５が取り付けられている。体液処理用品１５は、少なくともクロッチ域７に位置し、このクロッチ域７から前後ウエスト域５，６に向かって縦方向Ｙに延びている。
ライナ８およびアウタ９のクロッチ域７には、これらライナ８およびアウタ９を貫通する孔１６が形成されている。この孔１６を介して体液処理用品１５が露出される。孔１６は、横中心線Ｑ−Ｑよりも前ウエスト域５側であって、着用者の外性器に対応する位置に形成する。したがって、孔１６を介して外性器が体液処理用品１５に臨む。
【００２７】
図５は体液処理用品１５を示したものであり、説明のためその一部を破断している。図示したように、体液処理用品１５は、ほぼ同大であって矩形の内面シート１８と外面シート１９とを含み、これら内外面シート１８，１９の縦方向Ｙに延びる両側縁２０，２１と横方向Ｘに延びる前後端縁２２，２３とを互いに接続している。すなわち、内外面シート１８，１９の外周に亘って互いに接合することによって、これら内外面シート１８，１９で袋体２４を形成している。内外面シート１８，１９には、不透液性のフィルムを用いることによって、袋体２４全体を不透液性としている。内面シート１８には、開口２５を形成している。袋体２４の内部には、開口２５の縦方向Ｙの前後に、体液等を収容可能な前後収容領域２６，２７がそれぞれ形成され、両側縁２０，２１および前後端縁２２，２３を袋体２４の周縁としている。
【００２８】
上記のような体液処理用品１５の内面シート１８は身体側に位置するとともにシャーシ２のアウタ９に接合され、外面シート１９はアウタ９に対向する外側に位置している。体液処理用品１５の開口２５は、シャーシ２のライナ８およびアウタ９に形成された孔１６よりもその開口面積が大きく、孔１６と一致するように取り付けられる(図１および図２参照)。開口２５の開口縁が、第１接着手段４９を介して、アウタ９に接合されている。第１接着手段４９は、開口２５を囲むように開口縁に沿って形成され、開口２５と孔１６とが離間しないようにしている。したがって、孔１６に臨む外性器は、体液処理用品１５の開口２５に臨み、排泄された尿は開口２５から袋体２４の内部に収容される。孔１６と開口２５は、外性器が収まる程度の大きさに形成されている。また、孔１６よりも開口２５のほうが、開口面積が大きいので、孔１６の開口縁と開口２５との開口縁とは一致することがない。したがって、外性器は孔１６の開口縁に接触することはあるが、開口２５の開口縁には接触することはなく、外性器に対する開口縁の接触を減少させることができる。開口縁の接触が少なくなれば、外性器に対する刺激を低減することができ、肌トラブルを減少させることができる。
【００２９】
内外面シート１８，１９の間には、開口２５に重なりこれを覆うように逆流防止シート３２が形成される。逆流防止シート３２は、不透液性のフィルム等によって形成され、これによって逆流防止シート３２と、外面シート１９との間には、尿の収容が可能な中央収容領域５１が形成される。逆流防止シート３２は、横方向Ｘに延びる防止シート前後端縁３８，３９と、縦方向Ｙに延びる防止シート両側縁４０，４１とを含む。これら防止シート前後端縁３８，３９および防止シート両側縁４０，４１は、それぞれ開口２５の外側に位置し、逆流防止シート３２は接合部２８を介して内面シート１８に接合されている。接合部２８のさらに外側には、接合部２８が形成されない外側非接合領域３１が形成されている。すなわち、外側非接合領域３１は、接合部２８と防止シート前後端縁３８，３９および防止シート両側縁４０，４１との間に形成される。外側非接合領域３１では、内面シート１８と逆流防止シート３２とが重なりあっているだけである。
【００３０】
接合部２８は、線条を有し、開口２５を囲むように複数形成されているが、第１接着手段４９とは重ならないようにその外周側に形成されている。接合部２８は、縦中心線Ｐ−Ｐに対して傾斜する第１接合線２９および第２接合線３０を含む。第１接合線２９は図面右下がりに傾斜し、第２接合線３０は図面右上がりに傾斜し、これら第１接合線２９と第２接合線３０とは、開口２５の縦方向Ｙ外側において横方向Ｘに交互に配置されている。前収容領域２６側では、隣り合う第１接合線２９と第２接合線３０によって形成され、開口２５から前収容領域２６に向かって離間寸法が小さくなる漏斗状の前方通路３３が形成される。後収容領域２７側では、第１接合線２９と第２接合線３０とによって、開口２５から後収容領域２７に向かって離間寸法が小さくなる漏斗状の後方通路３４が形成される。開口２５と両側縁２０，２１の間には、第１接合線２９および第２接合線３０がそれぞれ間欠的に縦方向Ｙに並び、これらの間に側方通路３５が形成される。
【００３１】
開口２５から、第１および第２接合線２９，３０までの間には、接合部２８が形成されない内側非接合領域３６を形成している。すなわち開口２５周縁は、内面シート１８と逆流防止シート３２とが重なり合っているだけであって、これらが接合されていない。なお、第１接着手段４９は、内側非接合領域３６に重なるように形成されている。
【００３２】
前後収容領域２６，２７および中央収容領域５１には、吸液構造体３７が形成されている。すなわち、吸液構造体３７は、袋体２４の側縁２０から側縁２１まで、および、前端縁２２から後端縁２３までに亘って形成されている。吸液構造体３７は、高吸収性樹脂やフラッフパルプ等によって形成される吸液性芯材をティッシュペーパ等の液拡散シートで覆うことによって形成され、第２接着手段５０を介して外面シート１９に接合されている。
【００３３】
上記のような構成において、開口２５に向かって尿が排泄されると、尿の水圧によって内面シート１８と逆流防止シート３２とが互いに離間し、内側非接合領域３６に尿が導かれるとともに、尿はこの内側非接合領域３６に一時的に保持される。着用者の立位状態では、尿は内側非接合領域３６から股下側に向かって流れようとするので、一時的に保持された尿は、主に後方通路３４に向かって流れる。後方通路３４は第１および第２接合線２９，３０によって漏斗状に形成されているので、内側非接合領域３６の尿が、後方通路３４に集められて、これを通過する。後方通路３４を尿が通過する場合には、内面シート１８と逆流防止シート３２とが互いに離間し、筒状の通路を形成する。後方通路３４を通過した尿は、接合部２８の外側に形成された外側非接合領域３１を介して、内外面シート１８，１９の間に形成された後収容領域２７に導かれる。後収容領域２７に導かれた尿は、吸液構造体３７によって吸収および保持される。
【００３４】
上記のような立位の状態から、横になったり、四つん這いになったりした場合には、吸液構造体３７に吸収されなかった尿が後収容領域２７から中央収容領域５１または前収容領域２６へと移動することがある。しかし、尿が後方通路３４を通過した後は、離間して筒状になった通路が、内面シート１８と逆流防止シート３２とが再び接触するように重なり合うことによって、閉鎖されるようになり、通路としての機能を失う。また、前後収容領域２６，２７に尿が導かれることによって、外面シート１９と逆流防止シート３２との間に尿が存在することとなり、この尿によって逆流防止シート３２が内面シート１８側に押圧される。したがって、内面シート１８と逆流防止シート３２とがより一層密着し、前後方通路３３，３４を閉鎖して、通路として機能しないように作用する。したがって、前後に移動する尿は、前後方通路３３，３４を通過しにくくなり、この前後方通路３３，３４を介して開口２５へと尿が逆流するのを抑制することができる。
【００３５】
さらに、外側非接合領域３１および内側非接合領域３６においても、逆流防止シート３２と内面シート１８とが密着し、より一層尿が通過しにくくなる。特に、外側非接合領域３１においては、尿が前後方通路３３，３４へと移動するのを抑制することができる。外側非接合領域３１は、接合部２８の外側において、逆流防止シート３２と内面シート１８とが直接接触する部分であるので、逆流防止シート３２の面積を大きくすることによって、容易に外側非接合領域３１も大きくすることができ、その分、前後方通路３３，３４への尿の流入を抑制することが可能である。
前後方通路３３，３４への尿の流入を抑制し、開口２５へと尿が逆流するのを抑制することができるので、前後収容領域２６，２７の尿が、着用者の体勢変化によって縦方向Ｙの前後に移動したような場合であっても、尿は前後収容領域２６，２７を移動するだけであって、開口から漏れるのを抑制することができる。
【００３６】
逆流防止シート３２を不透液性のフィルムで形成するようにした場合には、逆流防止シート３２と内面シート１８との間を通過した尿が僅かに残り、この尿によってこれらシートが互いに貼り付いて密着する。したがって、逆流防止シート３２と内面シート１８との間に形成された前後方通路３３，３４、外側非接合領域３１および内側非接合領域３６が閉鎖され、尿が開口から漏れるのをより一層抑制することができる。
【００３７】
前後方通路３３，３４を、傾斜した第１および第２接合線２９，３０によって形成することとしたので、接合部２８を漏斗のような形状にすることができ、開口２５に排泄された尿を捕集して前後収容領域２６，２７に導くことができる。したがって、前後方通路３３，３４が狭い場合であっても、多くの尿を前後収容領域２６，２７に導くことができる。さらに、前後方通路３３，３４を漏斗のような形状にすることによって、前後収容領域２６，２７から開口２５に向かう場合には、尿が分散されるようになる。したがって、前後方通路３３，３４に流入しようとする尿を少なくすることができ、より一層開口２５からの漏れを抑制することができる。
【００３８】
この実施形態では、着用物品としてのおむつ１において、尿を体液処理用品１５に収容することができるので、開口からの漏れがない限り体液処理用品外に漏れることがなく、体液処理用品１５を有しないおむつのみで尿を保持するのに比べて着用物品からの尿漏れを飛躍的に抑制することができる。しかも、このような袋で尿を受けるので、大量の尿が排泄されても、この尿を袋内で保持することができ、こまめにおむつを交換する必要がなくなり、より長時間の着用が可能になる。
【００３９】
体液処理用品１５の内外面シート１８，１９は、不透液性のフィルム等を用いることができ、シャーシ２のライナ８およびアウタ９は、透液性の繊維不織布等を用いることができる。逆流防止シート３２として不透液性のフィルムを用いているが、不透液性であれば繊維不織布等の他の一般的なシートを用いることができる。ただし、内面シート１８と逆流防止シート３２とがこれらの間に僅かに残存する尿によって密着するようにするためには、内面シート１８と逆流防止シート３２とは、少なくともそれらが対向する面において平滑であることが好ましい。また、各シートは、一枚の不織布またはフィルム等で形成してもよいし、２枚以上を重ね合わせて形成してもよい。
【００４０】
体液処理用品１５には、開口２５がひとつだけ形成されるようにしているが、例えば後収容領域２７に開口２５とは別に開口が形成されるようにしてもよい。この場合には、便用として別に形成された開口を利用することができる。接合部２８は直線の接合線によって形成されることとしているが、曲線でもよい。また、必ずしも線条である場合に限らず、例えばドット状であったり、これらの組み合わせであったりしてもよい。接合部２８は第１および第２接合線２９，３０によって形成されることとしているが、開口２５から収容領域への通路を形成するとともに、収容領域から開口２５への尿の逆流を防止することができれば、その形状は種々の態様を採用することができる。接合部２８は、接着剤、サーマルまたはウルトラソニックボンド等の慣用技術によって形成される。
【００４１】
吸液構造体３７は、体液処理用品１５のほぼ全域に亘って連続して形成されることとしているが、例えば、中央収容領域５１には形成されず、前収容領域２６と後収容領域２７とに分断して形成されるようにしてもよい。ただし、この発明では、逆流防止シート３２の形成によって中央収容領域５１を形成し、この中央収容領域５１にも吸液構造体３７を形成可能とすることによって、形成される吸液構造体３７を増量することができ、尿等の吸収能を向上させることができる。おむつ１としてプルオン・パンツ型のものを示しているが、着用時に前後ウエスト域を連結させるオープン型のものでもよい。
【００４２】
図６および図７は、体液処理用品１５の他の実施形態を示したものである。この実施形態では、体液処理用品１５の内面シートは、身体側に位置する第１内面シート１８とその反対側に位置する第２内面シート４２とを含むことを特徴としている。図６は図５と同様の図であり、図７は図６のＶＩＩ−ＶＩＩ線断面図である。第２内面シート４２は、逆流防止シート３２とほぼ同大の不透液性のフィルム等で形成されている。すなわち、第２内面シート４２は、横方向Ｘに延びる第２内面シート前後端縁４５，４６と、縦方向Ｙに延びる第２内面シート両側縁４７，４８を含み、これら第２内面シート前後端縁４５，４６は逆流防止シート３２の防止シート前後端縁３８，３９にほぼ一致し、第２内面シート両側縁４７，４８は防止シート両側縁４０，４１にほぼ一致している。第２内面シート４２には、第２内面シート開口４３が形成され、第１内面シート１８の開口２５と一致するように、接合手段４４を介して第２内面シート４２と第１内面シート１８とが接合されている。接合手段４４は、第２内面シート開口４３の周囲に連なって形成されている。
【００４３】
この実施態様では、第２内面シート４２と逆流防止シート３２との間に接合部２８が形成される。接合部２８は、前収容領域２６側に位置する一対の第１および第２接合線２９，３０と、後収容領域２７側に位置する一対の第１および第２接合線２９，３０とを含む。前収容領域２６側に位置する第１および第２接合線２９，３０によって前方通路３３が形成され、後収容領域２７側に位置する第１および第２接合線２９，３０によって後方通路３４が形成される。さらに、開口４３の横方向Ｘの両外側では、第１および第２接合線２９，３０によって側方通路３５が形成される。
【００４４】
このような構成において、第１内面シート１８の開口２５に排泄された尿は、第２内面シート開口４３および内側非接合領域３６を介して前後方通路３３，３４に導かれ、外側非接合領域３１を介して前後収容領域２６，２７に収容される。第２内面シート４２と逆流防止シート３２との間には前後方通路３３，３４および側方通路３５が形成されているが、これら通路は、尿が通過した後は、第２内面シート４２と逆流防止シート３２とが接触して重なり合うことによって通路としての機能を失う。したがって、一度前後収容領域２６，２７に導かれた尿が、これら通路から開口２５に逆流するのを抑制することができる。第２内面シート４２と第１内面シート１８とは、その開口４３，２５に沿って接合手段４４を介して接合されているので、これらシートの間から尿が漏れることはない。
【００４５】
第２内面シート４２は開口４３に沿って第１内面シート１８に接合されているだけであるので、第２内面シート開口４３以外の部分、すなわち第２内面シート前後端縁４５，４６および第２内面シート両側縁４７，４８の近傍においては、第１内面シート１８から離間可能に形成されている。したがって、第２内面シート４２は逆流防止シート３２に追従して移動可能であり、逆流防止シート３２が外面シート１９側に向かって移動したような場合であっても、第２内面シート４２と逆流防止シート３２とが離間することがない。したがって、これらシート４２，４３の間に形成された前後方通路３３，３４および側方通路３５の閉鎖状態を維持することができる。すなわち、これら通路３３〜３５を通路としての機能を失わせた状態を維持することができ、通路を介して尿が逆流するのをより一層防止することができる。
【図面の簡単な説明】
【００４６】
【図１】おむつの斜視図。
【図２】おむつの展開平面図。
【図３】図２のＩＩＩ−ＩＩＩ線断面図。
【図４】図２のＩＶ−ＩＶ線断面図。
【図５】体液処理用品の平面図。
【図６】他の実施形態の体液処理用品の平面図。
【図７】図６のＶＩＩ−ＶＩＩ線断面図。
【符号の説明】
【００４７】
１    おむつ
２    シャーシ
５    前ウエスト域
６    後ウエスト域
７    クロッチ域
１５    体液処理用品
１６    孔
１８    内面シート（第１内面シート）
１９    外面シート
２０    側縁
２１    側縁
２４    袋体
２５    開口
２６    前収容領域
２７    後収容領域
２８    接合部
３１    外側非接合領域
３２    逆流防止シート
３３    前方通路
３４    後方通路
３６    内側非接合領域
３７    吸液構造体
４２    第２内面シート
５１    中央収容領域
【図１】
2010082255.tif 000003
【図２】
2010082255.tif 000004
【図３】
2010082255.tif 000005
【図４】
2010082255.tif 000006
【図５】
2010082255.tif 000007
【図６】
2010082255.tif 000008
【図７】
2010082255.tif 000009